(57)【要約】本発明は、ダイアフラムポンプ１であって、ポンプ運動中、下死点及び上死点の間を往復動する作業ダイアフラム３が設けられており、該作業ダイアフラムはポンプ室壁６との間にポンプ室７を制限しており、作業ダイアフラムが上死点でポンプ室壁６に当接する形式のものに関する。本発明では、作業ダイアフラム３が内側リング区域８と外側リング区域９とを有しており、これらのリング区域８，９はポンプ運動中に変形可能であって、これらのリング区域の間に、補強された、ポンプ運動中にほぼ変形不能なダイアフラム領域が配置されていることを特徴とする。この場合、この変形不能なダイアフラム領域は例えば、半径方向に向けられ、周方向で互いに間隔をおいて配置された支持リブ１０によって補強することができる。本発明では作業ダイアフラム３は、ダイアフラム上面と下面との間に差圧負荷が生じた場合も、吸込室体積を縮小するようなことはない。
2006520868.tif 000002
【特許請求の範囲】
【請求項１】
ダイアフラムポンプ（１）であって、ポンプ運動中、下死点及び上死点の間を往復運動する作業ダイアフラム（３）が設けられており、該作業ダイアフラムは、該作業ダイアフラムとポンプ室壁（６）との間にポンプ室（７）を制限しており、前記作業ダイアフラムが上死点でポンプ室壁（６）に当接している形式のものにおいて、
作業ダイアフラム（３）が内側リング区域（８）と外側リング区域（９）とを有しており、これらのリング区域（８，９）はポンプ運動中に変形可能であって、これらのリング区域（８，９）の間に、補強された、ポンプ運動中にほぼ変形不能なダイアフラム領域が配置されており、作業ダイアフラム（３）が変形不能なダイアフラム領域で、半径方向に向けられ、周方向で互いに間隔をおいて配置された支持リブ（１０）によって補強されていて、該支持リブ（１０）はポンプ室壁（６）とは反対のダイアフラム下面に配置されていることを特徴とするダイアフラムポンプ。
【請求項２】
ポンプ室壁が凹状に湾曲されている、請求項１記載のダイアフラムポンプ。
【請求項３】
支持リブ（１０）が湾曲された長手方向の延在を有している、請求項１又は２記載のダイアフラムポンプ。
【請求項４】
支持リブ（１０）がまっすぐの長手方向の延在を有している、請求項１又は２記載のダイアフラムポンプ。
【請求項５】
支持リブ（１０）が、有利には±３０°まで半径方向に対してずれている、請求項１から４までのいずれか１項記載のダイアフラムポンプ。
【請求項６】
周方向で互いに間隔をおいて配置された支持リブ（１０）が、同じ湾曲方向又は半径方向からのずれを有している、請求項１から５までのいずれか１項記載のダイアフラムポンプ。
【請求項７】
支持リブ（１０）の、ポンプ室壁（６）に面した側が、ポンプ室壁（６）の輪郭に形状が適合するように形成されている、請求項１から６までのいずれか１項記載のダイアフラムポンプ。
【発明の詳細な説明】
【技術分野】
【０００１】
本発明は、ダイアフラムポンプであって、ポンプ運動中、下死点及び上死点の間を往復運動する作業ダイアフラムが設けられており、該作業ダイアフラムは、該作業ダイアフラムと有利には凹状に湾曲されたポンプ室壁との間にポンプ室を制限しており、作業ダイアフラムが、上死点でポンプ室壁に当接している形式のものに関する。
【０００２】
冒頭で述べた形式のダイアフラムポンプは既に種々様々な構成で公知である。このようなダイアフラムポンプが低い真空領域で運転されると、作業ダイアフラムが、ダイアフラム上面と下面との間に生じる差圧によって膨出したり、これにより吸込室体積が小さくなったりする恐れがある。このように低い真空領域ではまさに、ダイアフラム上面と下面との間に大きな差圧が生じる。ダイアフラム下面には通常、大気圧がかかっていて、ダイアフラム上面にはそれぞれ排気圧が作用する。この場合、最大の差圧は大気圧からダイアフラムポンプの最終圧力をひいたものである。
【０００３】
従来のダイアフラムポンプの通常のダイアフラムでは、特に、このダイアフラムポンプが最終圧力の範囲で作業し、ダイアフラムに大きな差圧がかかる場合、フレキシブルなダイアフラムの側方の弾性的な区域が大気圧によってフィード室の方向に膨出することが確認されている。このようなダイアフラムの「膨出」は、吸込室体積を著しく縮小することとなり、ダイアフラムポンプの吸込能力に不都合に作用する。
【０００４】
低い最終圧力を有する２段式のおよび多段式のダイアフラムポンプではこのような形状変化は特に顕著である。このようなポンプでは、より低い真空段は、そこで最も大きな差圧が生じるので最も強く影響を受ける。
【０００５】
従って本発明の課題は、冒頭で述べた形式のダイアフラムポンプを改良して、ダイアフラム上面とダイアフラム下面との間に生じる高い差圧負荷のもとでも、デッドスペース体積の拡大や吸込室体積の縮小が生じないようなダイアフラムポンプを提供することである。
【０００６】
この課題を解決するために本発明の構成では、冒頭で述べた形式のダイアフラムポンプにおいて、特に作業ダイアフラムが内側リング区域と外側リング区域とを有しており、これらのリング区域はポンプ運動中に変形可能であって、これらのリング区域の間に、補強された、ポンプ運動中にほぼ変形不能なダイアフラム領域が配置されているようにした。
【０００７】
本発明によるダイアフラムポンプは、内側リング区域と外側リング区域とを有した作業ダイアフラムを有しており、これらのリング区域の間には補強された、ポンプ運動中に変形不能なダイアフラム領域が配置されている。内側リング区域と外側リング区域とが、行程により必要な作業ダイアフラムの屈曲をこの領域で可能にする２つのヒンジ領域を形成し、この間に位置する変形不能なダイアフラム領域は、高い差圧負荷のもとで生じる作業ダイアフラムの出力を減じる不都合な膨出に反作用する。この場合、変形不能なダイアフラム領域におけるダイアフラム領域の補強は、作業ダイアフラムが上死点でなお妨げられずに、有利には凹状に湾曲されたポンプ室壁に当接するように行われる。
【０００８】
内側リング区域および外側リング区域によって制限される変形不能なダイアフラム領域におけるダイアフラムの補強は例えば補強ダイアフラム挿入材によって行われる。しかしながら本発明の有利な構成では、作業ダイアフラムは変形不能なダイアフラム領域において半径方向に向けられて、周方向で互いに間隔をおいて配置された支持リブによって補強されていて、これらの支持リブは、ポンプ室壁とは反対側のダイアフラム下面に配置されている。
【０００９】
ポンプ室壁とは反対側のダイアフラム下面でこのように補強する支持リブを有する作業ダイアフラムは、少なくとも変形不能なダイアフラム領域において単層の材料層から形成されていて良い。この場合、支持リブまたは補強リブは、形状的および寸法的に、例えば、低い最終圧力のもとで、吸込行程中にダイアフラム下面に生じる大気圧が、変形不能なダイアフラム領域におけるダイアフラムを屈曲しないように形成されている。このようなダイアフラム領域を補強する支持リブは両側で、変形可能なリング区域によって制限されており、このリング区域は、ポンプ運動中のダイアフラムのこね変形運動のために必要なヒンジ領域を形成する。
【００１０】
支持リブは半径方向でダイアフラム下面に配置することができる。しかしながら半径方向に対する支持リブの角度が大きくなるほど、支持リブの半径方向の変形および、デッドスペースの拡大や最終真空の減少につながる、圧縮室に面したリブの輪郭の変形が僅かになる。この場合、本発明の別の構成では、支持リブが湾曲された長手方向の延在を有しており、従って実質的には螺旋状にダイアフラム下面に配置されている。
【００１１】
これに対してリブがまっすぐな長手方向の延在を有しているならば、支持リブが有利には±３０°まで半径方向からずれていると有利である。
【００１２】
この場合、周方向で互いに間隔をおいて配置されている複数の支持リブが、同じ湾曲方向または同じ半径方向に対するずれを有していると有利である。
【００１３】
特に、変形不能なダイアフラム領域における均一な厚さの作業ダイアフラムも、上死点において良好に、有利には凹状に湾曲されたポンプ室壁に当接することができるように、支持リブのポンプ室壁に面した側がポンプ室壁の形状の輪郭に適合するようになっていると特に有利である。
【００１４】
本発明のさらなる特徴は、本発明の次の実施例と、請求項および図面により明らかである。個々の特徴は、それ自体でも本発明の構成において組み合わせても実現可能である。
【００１５】
次に図面につき本発明の実施例を詳しく説明する。
【００１６】
図１及び図２には、ポンプヘッド２の領域のダイアフラムポンプ１が示されている。ダイアフラムポンプ１は作業ダイアフラム３を有しており、この作業ダイアフラムの外周縁はポンプヘッドに緊締されている。作業ダイアフラム３には中央の固定コア４が加工成形されており、この固定コア４にはクランク駆動装置（図示せず）のコンロッド５が結合されている。ポンプ運動中に図１に示した上死点と図２に示した下死点との間で往復運動する作業ダイアフラム３は、該作業ダイアフラム３と凹状に湾曲されたポンプ室壁６との間にポンプ室７を制限している。
【００１７】
ここに示したダイアフラムポンプ１が、例えばターボ分子ポンプ１の予備ポンプとして低い真空領域で作業する場合は特に、ダイアフラムの上面と下面との間に大きな差圧が生じる。作業ダイアフラム３が、ダイアフラム上面と下面との間に生じる差圧負荷のもとで膨出したり、これにより吸込室容積が著しく小さくなったりしないように、作業ダイアフラム３は、補強され、ポンプ運動中ほぼ変形不能なリング区域を有している。このような変形不能なダイアフラム領域は内側リング区域８と外側リング区域９とによって制限されており、これらはポンプ運動中に変形可能なヒンジ領域として働く。
【００１８】
変形不能なダイアフラム領域におけるダイアフラムを補強するために、ここでは半径方向に向けられた支持リブ１０が設けられている。これらの支持リブは、ポンプ室壁６とは反対の側のダイアフラム下面に配置されている。これらの支持リブ１０は周方向で互いに均一な間隔を置いて配置されている。図１に示したように作業ダイアフラム３が上死点で、ポンプ室壁６に有利には全面的に当接するように、支持リブ１０の、ポンプ室壁６に面した側は、ポンプ室壁６の輪郭に形状的に合わせられている。
【００１９】
図３に示したように、支持リブ１０はまっすぐな長手方向の延在を有している。変形不能なリング区域における作業ダイアフラム３の補強を最良にするために、支持リブ１０が有利には±３０°まで半径方向からずれていると有利である。しかしながら、図４に示したように支持リブが湾曲された長手方向の延在を有していて、実質的には螺旋状にダイアフラム下面に配置されていても良い。
【００２０】
図３及び図４に示した支持リブ１０の半径方向に対する角度が大きくなるほど、支持リブ１０の半径方向の変形は小さくなり、かつデッドスペースの拡大や最終真空の低下につながる支持リブ１０の圧縮室またはポンプ室７に面した輪郭の変形が減じられる。
【図面の簡単な説明】
【００２１】
【図１】ポンプ運動の上死点におけるダイアフラムポンプの作業ダイアフラムを示す図であって、この場合、作業ダイアフラムは、変形可能なヒンジ領域として働く２つのリング区域を有しており、これらのリング区域の間には支持リブによって補強された変形不能なダイアフラム領域が配置されている。
【図２】ポンプ運動の下死点における図１の作業ダイアフラムを示した図である。
【図３】図１と比較可能な作業ダイアフラムのダイアフラム下面を示した図である。
【図４】図１〜図３の作業ダイアフラムの変化実施例を示した図である。
【図１】
2006520868.tif 000003
【図２】
2006520868.tif 000004
【図３】
2006520868.tif 000005
【図４】
2006520868.tif 000006
【手続補正書】
【提出日】平成16年8月7日(2004.8.7)
【手続補正１】
【補正対象書類名】明細書
【補正対象項目名】０００４
【補正方法】変更
【補正の内容】
【０００４】
低い最終圧力を有する２段式のおよび多段式のダイアフラムポンプではこのような形状変化は特に顕著である。このようなポンプでは、より低い真空段は、そこで最も大きな差圧が生じるので最も強く影響を受ける。
ＷＯ００／４９２９３号明細書により、弾性的な材料から成る作業ダイアフラムを備えたダイアフラムポンプが公知である。この作業ダイアフラムは、補強された中央領域において、コンロッドヘッドのための収容凹みを有していて、外側の緊締縁部でポンプケーシングに保持されている。ポンプ室に面したダイアフラムの上面には、半径方向外側に向かって、ダイアフラムの補強された中央領域に隣接する、半径方向で互いに間隔をおいて配置され周方向で環状に配置された複数のリブが設けられている。このリブによって、圧力に対するダイアフラムの高い安定性が得られると同時に、中央領域を取り囲むダイアフラムの外側リング区域の柔軟性が維持される。
公知のダイアフラムのダイアフラム上面に設けられたリブによって、確かにダイアフラム上面における亀裂の形成は防止されるが、緊締縁部と中央領域との間に設けられたフレキシブルなリング区域におけるダイアフラムの膨出は、周方向に向けられたリブによって全く回避されない。
【手続補正２】
【補正対象書類名】明細書
【補正対象項目名】０００６
【補正方法】変更
【補正の内容】
【０００６】
この課題は本発明によれば、冒頭で述べた形式のダイアフラムポンプにおいて、特に請求項１の特徴を備えたダイアフラムポンプによって解決される。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
作業ダイアフラムは、変形不能なダイアフラム領域で本発明によれば、ポンプ室壁とは反対の側のダイアフラム下面に、半径方向に向けられ、周方向で互いに間隔をおいて配置された支持リブによって補強されている。本発明のダイアフラムポンプの作業ダイアフラムは、ポンプ室壁とは反対の側のダイアフラム下面に、このように補強する支持リブを有しているので、この作業ダイアフラムは、変形不能なダイアフラム領域で単層の材料層から形成することができる。この場合、支持リブまたは補強リブは、形状的および寸法的に、例えば、低い最終圧力のもとで、吸込行程中にダイアフラム下面に生じる大気圧が、変形不能なダイアフラム領域におけるダイアフラムを屈曲しないように形成されている。このようなダイアフラム領域を補強する支持リブは両側で、変形可能なリング区域によって制限されており、このリング区域は、ポンプ運動中のダイアフラムのこね変形運動のために必要なヒンジ領域を形成する。


【国際調査報告】
2006520868.tif 000007
2006520868.tif 000008
2006520868.tif 000009
2006520868.tif 000010